(57)【要約】【課題】本発明は、かかる点に鑑みてデータあるいは画像データが加工その他の編集によって関連づけされたときに、編集されたデータ、あるいは画像データを含んだデータを編集あるいは履歴情報として用いて編集あるいは履歴を１セットで扱えるようにした。【解決手段】データ管理手段は、各ファイルに関連づけて複数の、画像データを含むデータのそれぞれを記録させ、該ファイルに外付けされた殻には当該ファイルに記録された画像データを埋め込んだ自己ファイル情報と、この画像データに関連づけられた画像データであって、他のファイルに記録された画像データを埋め込んだ関連ファイル情報とを記録させ、前記自己ファイル情報および前記関連ファイル情報の相互関連を持った２つの殻を比較し、これらの殻によって関連づけられた２つのファイルに記録された画像データを含むデータのいずれかあるいは双方を画面表示措置の画面に表示させる。【選択図】図１０
2009230678.tif 000002
【特許請求の範囲】
【請求項１】
データ格納手段と、該データ格納手段に格納されているデータ間の関連状況によってデータ管理を行うデータ管理手段とを備えたデータ管理装置において、
前記データ格納手段には、取得した複数のデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数のデータの内の１つのデータが記録され、該ファイルに外付けされた殻には該ファイルに記録されたデータを埋め込んだ自己ファイル情報とこのデータに関連づけられて他のファイルに記録されたデータを埋め込んだ関連ファイル情報が記録され、
前記データ管理手段は、各ファイルには関連づけて取得された複数のデータのそれぞれを記録させ、該ファイルに外付けされた殻には当該ファイルに記録されたデータを埋め込んだ自己ファイル情報とこれに関連づけられたデータであって、他のファイルに記録されたデータを埋め込んだ関連ファイル情報とを記録させ、前記自己ファイル情報および前記関連ファイル情報の相互関連を持った２つの殻を比較し、これらの殻によって関連づけられた２つのファイルに記録されたデータのいずれかあるいは双方を画面表示装置の画面に表示させること
を特徴とするデータ管理装置。
【請求項２】
請求項１において、各データは画像データを含むデータであることを特徴とするデータ管理装置。
【請求項３】
データ格納手段と、該データ格納手段に格納されているデータ間の関連状況によってデータ管理を行うデータ管理手段とを備えたデータ管理装置において、
前記データ格納手段には、時系列的に取得した複数の画像データを含むデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数の画像データを含むデータの内の１つのデータが記録され、該ファイルに外付けされた殻には該ファイルに記録された画像データを埋め込んだ自己ファイル情報とこの画像データに関連づけられて他のファイルに記録された画像データを埋め込んだ関連ファイル情報が記録され、
前記データ管理手段は、各ファイルには関連づけて複数の、画像データを含むデータのそれぞれを記録させ、該ファイルに外付けされた殻には当該ファイルに記録された画像データを埋め込んだ自己ファイル情報と、この画像データに関連づけられた画像データであって、他のファイルに記録された画像データを埋め込んだ関連ファイル情報とを記録させ、前記自己ファイル情報および前記関連ファイル情報の相互関連を持った２つの殻を比較し、これらの殻によって関連づけられた２つのファイルに記録された画像データを含むデータのいずれかあるいは双方を画面表示装置の画面に表示させること
を特徴とするデータ管理装置。
【請求項４】
請求項３において、前記各ファイルには、時系列に関連づけられ、履歴情報が記録された画像データを含むデータが記録され、前記データ管理手段は、前記各ファイルに、時系列に関連づけて履歴情報を記録した画像データを含むデータを記録させ、該ファイルに外付けされた殻には当該ファイルに記録された、時系列的な履歴情報が記録された画像データを埋め込んだ自己ファイル情報と、この画像データに関連づけられた、時系列的な履歴情報を記録した画像データを埋め込んだ関連ファイル情報とを記録させ、履歴情報を持った２つの殻を比較することを特徴とするデータ管理装置。
【請求項５】
請求項３において、前記各ファイルには、時系列に関係なく付与された相互関連によって関連づけられ、相互関連が記録された画像データを含むデータが記録され、前記データ管理手段は、前記各ファイルに時系列に関係なく付与された相互関連によって関連づけた、画像データを含むデータを記録させ、該ファイルに外付けされた殻には当該ファイルに記録された、時系列に関係なく付与された相互関連によって関連づけた画像データを埋め込んだ関連ファイル情報とを記録させ、相互関連を持った２つの殻を比較することを特徴とするデータ管理装置。
【請求項６】
請求項１から５のいずれかにおいて、前記データ管理手段は、任意の殻の関連ファイル情報には、当該ファイル以外の２つ以上のファイルに記録されたデータを埋め込んだ２つ以上の関連ファイル情報を記録させることを特徴とするデータ管理装置。
【請求項７】
データ格納手段と、該データ格納手段に格納されているデータ間の関連状況によってデータ管理を行うデータ管理手段とを備え、前記データ格納手段には、取得した複数のデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数のデータの内の１つのデータが記録され、該ファイルに外付けされた殻には該ファイルに記録されたデータを埋め込んだ自己ファイル情報とこのデータに関連づけられて他のファイルに記録されたデータを埋め込んだ関連ファイル情報が記録されたデータ管理装置によるデータ表示方法において、
前記データ管理手段によって、各ファイルには関連づけて取得された複数のデータのそれぞれを記録させ、該ファイルに外付けされた殻には当該ファイルに記録されたデータを埋め込んだ自己ファイル情報とこれに関連づけられたデータであって、他のファイルに記録されたデータを埋め込んだ関連ファイル情報とを記録させ、前記自己ファイル情報および前記関連ファイル情報の相互関連を持った２つの殻を比較し、これらの殻によって関連づけられた２つのファイルに記録されたデータのいずれかあるいは双方を画面表示装置の画面に表示させること
を特徴とするデータ表示方法。
【請求項８】
データ格納手段と、該データ格納手段に格納されているデータ間の関連状況によってデータ管理を行うデータ管理手段とを備え、前記データ格納手段には、時系列的に取得した複数の画像データを含むデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数の画像データを含むデータの内の１つのデータが記録され、該ファイルに外付けされた殻には該ファイルに記録された画像データを埋め込んだ自己ファイル情報とこの画像データに関連づけられて他のファイルに記録された画像データを埋め込んだ関連ファイル情報が記録されたデータ管理装置によるデータ表示方法において、
前記データ管理手段によって、各ファイルには関連づけて複数の、画像データを含むデータのそれぞれを記録させ、該ファイルに外付けされた殻には当該ファイルに記録された画像データを埋め込んだ自己ファイル情報と、この画像データに関連づけられた画像データであって、他のファイルに記録された画像データを埋め込んだ関連ファイル情報とを記録させ、前記自己ファイル情報および前記関連ファイル情報の相互関連を持った２つの殻を比較し、これらの殻によって関連づけられた２つのファイルに記録された画像データを含むデータのいずれかあるいは双方を画面表示装置の画面に表示させること
を特徴とするデータ表示方法。
【請求項９】
請求項８において、前記各ファイルには、時系列に関連づけられ、履歴情報が記録された画像データを含むデータが記録されており、前記データ管理手段は、前記各ファイルに、時系列に関連づけて履歴情報を記録した画像データを含むデータを記録させ、該ファイルに外付けされた殻には当該ファイルに記録された、時系列的な履歴情報が記録された画像データを埋め込んだ自己ファイル情報と、この画像データに関連づけられた、時系列的な履歴情報を記録した画像データを埋め込んだ関連ファイル情報とを記録させ、履歴情報を持った２つの殻を比較することを特徴とするデータ表示方法。
【請求項１０】
請求項８において、前記各ファイルには、時系列に関係なく付与された相互関連によって関連づけられ、相互関連が記録された画像データを含むデータが記録されており、前記データ管理手段によって、前記各ファイルに時系列に関係なく付与された相互関連によって関連づけた、画像データを含むデータを記録させ、該ファイルに外付けされた殻には当該ファイルに記録された、時系列に関係なく付与された相互関連によって関連づけた、画像データを埋め込んだ関連ファイル情報とを記録させ、相互関連を持った２つの殻を比較することを特徴とするデータ表示方法。
【請求項１１】
請求項７から１０のいずれかにおいて、前記データ管理手段によって、任意の殻の関連ファイル情報には、当該ファイル以外の当該ファイルに隣接するファイルを含む２つ以上のファイルに記録されたデータを埋め込んだ２つ以上の関連ファイル情報を記録させ、自己ファイル情報を記録する殻と、隣接するファイル以外のファイルに外付けされた殻の関連ファイル情報を記録する殻とを比較して当該関連ファイル情報を記録する殻を外付けするファイルに記録されたデータを前記画面に表示させることを特徴とするデータ表示方法。
【発明の詳細な説明】
【技術分野】
【０００１】
本発明は、データ管理装置に関し、特に、編集あるいは履歴管理方法およびデータあるいは画像データのデータ構造に係り、データ格納手段に格納されているデータあるいは画像データの編集あるいは履歴情報を扱う情報処理装置、その情報処理装置の編集あるいは履歴管理方法およびデータあるいは画像データ表示方法に関する。
【背景技術】
【０００２】
生物学研究、あるいは一般に科学研究においては、その成果について検証可能性を担保しなくてはならない。検証可能であるためには、論文等に掲載するデータの追跡可能性を保証することが必要である。とりわけデータの捏造が深刻な問題とされる今日においては、その重要性は一層高まっている。しかし、追跡可能性の保証は容易ではなく、システム化による支援が必須の状況となっている。
【０００３】
特許文献１には、画像データ格納手段に格納されている画像データの移動履歴情報を画像データから取得し、移動履歴情報を表示する為のデータとして提供する画像データ管理手段を備えた情報処理装置であって、画像データ管理手段は、画像データの移動履歴情報として、前記画像データを移動した移動日時、前記画像データの移動元及び移動先の情報を、画像データから取得することが記載されている。
【０００４】
特許文献２には、画像データに対して実施された処理に関する履歴情報を記録することが記載されている。
【０００５】
特許文献３には、画像ファイルについて、ＯＳ機能拡張エリアに組み込んだプログラムによりある変換を行って、アプリケーションソフトウェアによって表示できないファイルに置き換えてしまうこととシェルに組み込む（装着）を行うことが記載されている。
【０００６】
特許文献４には、固有の識別子が含まれた対象画像データと処理指示との入力を受けて、前記入力された対象画像データを、前記指示に従って処理し、処理結果となる出力画像データを出力する画像処理装置であって、前記対象画像データに含まれる固有の識別子を抽出する手段と、出力画像データに固有の識別子を生成し、出力画像データに当該固有の識別子を含めて出力する手段と、前記対象画像データから抽出した固有の識別子と、当該対象画像データに対する処理の結果である出力画像データの固有の識別子とを関連づけて、処理履歴情報として記録する手段と、を含み、前記処理履歴情報が、画像データの処理履歴の追跡に係る所定処理に供されることを特徴とする画像処理装置が記載されている。
【０００７】
特許文献５には、加工の前後の画像間の関連づけ情報のデータを含めるようにしたデータファイル生成手段を制御することが記載されている。
【０００８】
【特許文献１】特開２００６−４２３１８号公報
【特許文献２】特開２００７−６７７１２号公報
【特許文献３】特開平１１−２５９５７４号公報
【特許文献４】特開２００７−２８２０６号公報
【特許文献５】特開２００４−６４２９７号公報
【発明の開示】
【発明が解決しようとする課題】
【０００９】
近年の生物学実験においては、顕微鏡写真、電気泳動写真など、多くの画像データが電子データとして取り扱われる。また、最終成果物には使用されないデータも含め、発生するデータ量は膨大である。研究機関と研究者は、このようなデータを管理するに当たり、以下のような課題に直面している。
〔実験情報の管理〕
画像データそのものだけではなく、その取得目的、取得方法、取得年月日、取得者、実験材料、実験ノートとの対応情報等の、実験情報を併せて管理することが必須である。しかし、実験情報データと画像データを併せて管理する方法がないため、実験情報データは失われやすい。よって、画像データと実験情報データを一体化して管理することが望まれる。
〔データ加工処理に伴う履歴管理〕
撮影によって取得されるオリジナルデータが、そのまま最終成果物に使用されることはほとんどない。画像の切り貼り、色彩の調整等といった、多段階にわたる編集が行われるのが通常である。その際に、編集の履歴情報が明示的に保存されないため、最終成果物とオリジナルデータの関係が失われる。よって、履歴情報を画像データと一体化して管理することが望まれる。
〔人の異動に伴う情報の散逸〕
研究機関においては、人員の異動が頻繁に発生するが、データの管理は個人単位で行われている。そのため異動時に人対人のデータの引き継ぎが発生するが、その際の情報の散逸は避けがたい。よって、個人単位ではなく、組織による管理を行うことが望まれるようになっている。
【００１０】
他の分野においても画像データとこれに伴う情報データの編集あるいは履歴に対する編集あるいは履歴情報を確保することが求められている。
【００１１】
本発明は、かかる点に鑑みてデータあるいは画像データが加工その他の編集によって関連づけされたときに、編集されたデータ、あるいは画像データを含んだデータを編集あるいは履歴情報として用いて編集あるいは履歴を１セットで扱えるようにしたデータ管理装置およびこれを用いたデータ表示方法を提供することを目的とする。
【課題を解決するための手段】
【００１２】
本発明は、データ格納手段と、該データ格納手段に格納されているデータ間の関連状況によってデータ管理を行うデータ管理手段とを備えたデータ管理装置において、
前記データ格納手段には、取得した複数のデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数のデータの内の１つのデータが記録され、該ファイルに外付けされた殻には該ファイルに記録されたデータを埋め込んだ自己ファイル情報とこのデータに関連づけられて他のファイルに記録されたデータを埋め込んだ関連ファイル情報が記録され、
前記データ管理手段は、各ファイルには関連づけて取得された複数のデータのそれぞれを記録させ、該ファイルに外付けされた殻には当該ファイルに記録されたデータを埋め込んだ自己ファイル情報とこれに関連づけられたデータであって、他のファイルに記録されたデータを埋め込んだ関連ファイル情報とを記録させ、前記自己ファイル情報および前記関連ファイル情報の相互関連を持った２つの殻を比較し、これらの殻によって関連づけられた２つのファイルに記録されたデータのいずれかあるいは双方を画面表示装置の画面に表示させること
を特徴とするデータ管理装置を提供する。
【００１３】
本発明は、また、各データは画像データを含むデータであることを特徴とするデータ管理装置を提供する。
【００１４】
本発明は、データ格納手段と、該データ格納手段に格納されているデータ間の関連状況によってデータ管理を行うデータ管理手段とを備えたデータ管理装置において、
前記データ格納手段には、時系列的に取得した複数の画像データを含むデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数の画像データを含むデータの内の１つのデータが記録され、該ファイルに外付けされた殻には該ファイルに記録された画像データを埋め込んだ自己ファイル情報とこの画像データに関連づけられて他のファイルに記録された画像データを埋め込んだ関連ファイル情報が記録され、
前記データ管理手段は、各ファイルには関連づけて複数の、画像データを含むデータのそれぞれを記録させ、該ファイルに外付けされた殻には当該ファイルに記録された画像データを埋め込んだ自己ファイル情報と、この画像データに関連づけられた画像データであって、他のファイルに記録された画像データを埋め込んだ関連ファイル情報とを記録させ、前記自己ファイル情報および前記関連ファイル情報の相互関連を持った２つの殻を比較し、これらの殻によって関連づけられた２つのファイルに記録された画像データを含むデータのいずれかあるいは双方を画面表示装置の画面に表示させること
を特徴とするデータ管理装置を提供する。
【００１５】
本発明は、また、前記各ファイルには、時系列に関連づけられ、履歴情報が記録された画像データを含むデータが記録され、前記データ管理手段は、前記各ファイルに、時系列に関連づけて履歴情報を記録した画像データを含むデータを記録させ、該ファイルに外付けされた殻には当該ファイルに記録された、時系列的な履歴情報が記録された画像データを埋め込んだ自己ファイル情報と、この画像データに関連づけられた、時系列的な履歴情報を記録した画像データを埋め込んだ関連ファイル情報とを記録させ、履歴情報を持った２つの殻を比較することを特徴とするデータ管理装置を提供する。
【００１６】
本発明は、また、前記各ファイルには、時系列に関係なく付与された相互関連によって関連づけられ、相互関連が記録された画像データを含むデータが記録され、前記データ管理手段は、前記各ファイルに時系列に関係なく付与された相互関連によって関連づけた、画像データを含むデータを記録させ、該ファイルに外付けされた殻には当該ファイルに記録された、時系列に関係なく付与された相互関連によって関連づけた画像データを埋め込んだ関連ファイル情報とを記録させ、相互関連を持った２つの殻を比較することを特徴とするデータ管理装置を提供する。
【００１７】
本発明は、また、前記データ管理手段は、任意の殻の関連ファイル情報には、当該ファイル以外の２つ以上のファイルに記録されたデータを埋め込んだ２つ以上の関連ファイル情報を記録させることを特徴とするデータ管理装置を提供する。
【００１８】
本発明は、データ格納手段と、該データ格納手段に格納されているデータ間の関連状況によってデータ管理を行うデータ管理手段とを備え、前記データ格納手段には、取得した複数のデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数のデータの内の１つのデータが記録され、該ファイルに外付けされた殻には該ファイルに記録されたデータを埋め込んだ自己ファイル情報とこのデータに関連づけられて他のファイルに記録されたデータを埋め込んだ関連ファイル情報が記録されたデータ管理装置によるデータ表示方法において、
前記データ管理手段によって、各ファイルには関連づけて取得された複数のデータのそれぞれを記録させ、該ファイルに外付けされた殻には当該ファイルに記録されたデータを埋め込んだ自己ファイル情報とこれに関連づけられたデータであって、他のファイルに記録されたデータを埋め込んだ関連ファイル情報とを記録させ、前記自己ファイル情報および前記関連ファイル情報の相互関連を持った２つの殻を比較し、これらの殻によって関連づけられた２つのファイルに記録されたデータのいずれかあるいは双方を画面表示装置の画面に表示させること
を特徴とするデータ表示方法を提供する。
【００１９】
本発明は、データ格納手段と、該データ格納手段に格納されているデータ間の関連状況によってデータ管理を行うデータ管理手段とを備え、前記データ格納手段には、時系列的に取得した複数の画像データを含むデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数の画像データを含むデータの内の１つのデータが記録され、該ファイルに外付けされた殻には該ファイルに記録された画像データを埋め込んだ自己ファイル情報とこの画像データに関連づけられて他のファイルに記録された画像データを埋め込んだ関連ファイル情報が記録されたデータ管理装置によるデータ表示方法において、
前記データ管理手段によって、各ファイルには関連づけて複数の、画像データを含むデータのそれぞれを記録させ、該ファイルに外付けされた殻には当該ファイルに記録された画像データを埋め込んだ自己ファイル情報と、この画像データに関連づけられた画像データであって、他のファイルに記録された画像データを埋め込んだ関連ファイル情報とを記録させ、前記自己ファイル情報および前記関連ファイル情報の相互関連を持った２つの殻を比較し、これらの殻によって関連づけられた２つのファイルに記録された画像データを含むデータのいずれかあるいは双方を画面表示装置の画面に表示させること
を特徴とするデータ表示方法を提供する。
【００２０】
本発明は、また、前記各ファイルには、時系列に関連づけられ、履歴情報が記録された画像データを含むデータが記録されており、前記データ管理手段は、前記各ファイルに、時系列に関連づけて履歴情報を記録した画像データを含むデータを記録させ、該ファイルに外付けされた殻には当該ファイルに記録された、時系列的な履歴情報が記録された画像データを埋め込んだ自己ファイル情報と、この画像データに関連づけられた、時系列的な履歴情報を記録した画像データを埋め込んだ関連ファイル情報とを記録させ、履歴情報を持った２つの殻を比較することを特徴とするデータ表示方法を提供する。
【００２１】
本発明は、また、前記各ファイルには、時系列に関係なく付与された相互関連によって関連づけられ、相互関連が記録された画像データを含むデータが記録されており、前記データ管理手段によって、前記各ファイルに時系列に関係なく付与された相互関連によって関連づけた、画像データを含むデータを記録させ、該ファイルに外付けされた殻には当該ファイルに記録された、時系列に関係なく付与された相互関連によって関連づけた、画像データを埋め込んだ関連ファイル情報とを記録させ、相互関連を持った２つの殻を比較することを特徴とするデータ表示方法を提供する。
【００２２】
本発明は、また、前記データ管理手段によって、任意の殻の関連ファイル情報には、当該ファイル以外の当該ファイルに隣接するファイルを含む２つ以上のファイルに記録されたデータを埋め込んだ２つ以上の関連ファイル情報を記録させ、自己ファイル情報を記録する殻と、隣接するファイル以外のファイルに外付けされた殻の関連ファイル情報を記録する殻とを比較して当該関連ファイル情報を記録する殻を外付けするファイルに記録されたデータを前記画面に表示させることを特徴とするデータ表示方法を提供する。
【発明の効果】
【００２３】
本発明によれば、自己ファイル情報（関連ファイル情報の１つ）とこれに関連する関連ファイル情報の相互関連を持った２つの殻を比較し、これらの殻によって関連づけられた２つのファイルに記載されたデータを画面表示するので、画面には関連した、特に履歴によって関連したデータを容易に表示できる効果がある。
【発明を実施するための最良の形態】
【００２４】
以下、本発明の１実施例を図面に基づいて説明する。
【実施例】
【００２５】
図１は、本発明の実施例であるデータ管理装置を示す。
【００２６】
図１において、データ管理装置１００は、データ管理手段１１およびデータ格納手段１２を備えて、画面表示装置１０１に接続される。これらの装置は、１つの計算機で扱えるように構成することも可能であり、通信回線、例えばインターネット網を介して接続するようにすることも可能である。
【００２７】
データ管理装置１００には、取得されたデータが取り入れられる。すなわち入力される。以下の説明において取り入れられるデータについて実験室における実験によって取得される実験データに関わるデータに言及するが、本実施例は実験データに限定されず、他の技術分野、編集分野において生成されるデータについても適用可能である。また、取り入れられるデータには画像データ、この画像データに関連して、例えば画像データを取得するに当って取得された実験データ、すなわち関連データが含まれ、画像データを含まない通常のデータが含まれ、更には継時的に、すなわち時系列に取得されるデータばかりでなく、時系列に関係なく相互に関連づけられたデータが入力される。図１では、画像データおよびその他のデータを表示した。画像データには画像データが含まれる。
【００２８】
データ管理手段１１は、演算処理手段、制御手段として、ファイル、殻形成手段１３、殻のファイル情報形成手段１４、殻構造およびファイル情報構築手段１５、殻比較手段１６、ファイル情報、殻およびファイル検索手段１７、格納指示手段１８および画面表示指示手段１９を備える。データ格納手段１２は、ファイル２１および殻とファイル情報２２を格納する手段を有し、ファイル２１および殻およびファイル情報２２を格納するに当っての各種データ、構造および各種のプログラムを格納する。ここでは殻に格納されたファイル情報を殻のファイル情報と称する。
【００２９】
また、データ管理手段１１は、データ格納手段１２の各データを参照することができる。画面表示装置１０１は、通常の画面表示機能を備え、画像および各種データを表示する画面２５を備え、データ管理装置１００と一体構成とされる場合には、上述したデータ管理装置１００が備える各手段を備えることになる。また、この場合、画像表示装置１０１は、有線、無線による通信手段を備えることができる。
【００３０】
格納指示手段１８はデータ管理手段１１で生成したデータをデータ格納手段１２に格納させ、画面表示指示手段１９は、生成したデータを画面表示装置の画面２５に表示させることを行う。
【００３１】
ファイル、殻形成手段１３は、編集機能を有して、ファイルおよび殻を形成する。図２にファイルと殻の概念を示す。
【００３２】
図２において、任意のファイル３１にはこのファイルの外を覆う形で殻３２が設けられる。ファイル３１に記録されたデータはファイル形態の殻３２から取り出すことが可能とされ、殻３２はファイル３１から取り外しが可能とされ、ファイル３１とは別物として扱えるように構成され、自己解凍形式のプロフラムによって形成されるファイル形態をなす。各ファイルに外付けされた形態で、このファイル３１とは別体として着脱自在に取り扱うようにしたプログラムを有して殻３２は形成されるが、これ自体の構造は公知である。
【００３３】
図３（ａ）に示すように、殻３２に記録された情報は通常手法によるが特定されたアクションで呼び出され、図３（ｂ）に示すように、記録された特定のアクションを起動し、情報を呼び出してファイル３１を構成されることができる。殻３２に記録された情報はファイル３１に記録された情報のすべてをカバーする。
【００３４】
図１において、殻のファイル情報形成手段１４はファイル情報を形成する。
【００３５】
図４は、ファイル３１をＸＭＬ文書形式で画像データ３３および実験情報３４を１セットに構成して１つの画面にして表示した例を示す。１つのＸＭＬ文書形式のファイル３１に画像データ、実験情報データ、画像ＩＤ等、図示した内容が埋め込むことで、画像データ３３と実験情報を１セットにする。実験情報データには各種の情報が追加記録される。実験情報に代えて編集情報を表示することができる。
【００３６】
図５は、殻３２のファイル情報４０の形成を示す。殻３２に、ＸＭＬ文書形式のファイル情報（ＸＭＬのフォーマット）が策定され、プログラム機能によって各種の情報が記録され、殻３２に蓄積した情報はファイル領域にファイル情報として渡されて、ファイルが構成される。
【００３７】
図６は、各種のセット化されたファイル３１と殻３２の例を示す。
【００３８】
図６（ａ）は、画像データファイル３１Ａと殻３２Ａとのセット、図６（ｂ）は波形データファイル３１Ｂと殻３３Ｂとのセット、図６（ｃ）はテキストデータファイル３１Ｃと殻３２Ｃとのセット、および図６（ｄ）は実験データ以外のファイル３１Ｄと殻３２Ｄとのセットの状態を示す。
【００３９】
図７に示すように、複数の任意のファイルを集合してファイル３１とすることができ、複数のファイルに殻３２を取り付けられるようにしてもよい。
【００４０】
図１において、殻構造およびファイル情報構築手段１５は殻構造の構築およびファイル情報構造の構築を行う。
【００４１】
図８は、殻構造の１例を示す。この例では、ファイルから取り外された４つの殻を用いた殻構造の例を示し、殻Ａをオリジナルな殻として、並列配置の殻Ｂと殻Ｃが構築され、殻Ｂに直列配置で殻Ｄが構築されている。本発明はこの例に限定されず、並列および直列配置の各種の配置構造が構築される。
【００４２】
図９は、殻内に形成されるファイル情報４０を示す。殻内には大きく分けて２つのファイル情報４１，４２が形成される。その１つは図５に示すように、殻に入れたファイル情報４１であり、他の１つは、この殻に入れたからファイル情報４１の内、特に画像データに基づいて構成したファイル情報、すなわち殻に入れた画像データについてのファイル情報４２である。後述するように、殻比較に際していずれかのファイル情報が用いられることになる。
【００４３】
図１０は、データ管理装置１００に取り入れた画像データについて時系列的に加工してファイルおよびそれに外付けされた殻のセットの経時点変遷（変更、移動）する状態を示す。
【００４４】
オリジナルファイル（or 編集前ファイル）は、一部切り出しによって加工ファイル１とされ、更に色調補正によって加工ファイル２とされ、更に説明追記によって加工ファイル３（例えば、論文に掲載するファイル）とされた場合の殻Ａ〜殻Ｄは経時的に、すなわち時系列的に変遷する。
【００４５】
オリジナルファイルに外付けされた殻Ａには次に示すファイル情報が入れられる。
殻Ａに入れるファイル情報
・殻ＩＤ（唯一になるもの）
・オリジナルファイル（or 編集前ファイル）のファイル情報（オリジナル
画像データのファイル情報を含む）
・実験情報：実験機器情報等（図５参照）
・関連ファイルのＩＤ
・鍵情報  など
【００４６】
加工ファイル１に外付けされた殻Ｂには次に示すファイル情報が入れられる。
・殻ＩＤ（唯一になるもの）
・殻Ａの情報
・オリジナルファイル（or 編集前ファイル）
・変更履歴情報
一部切り出しにする加工ファイル１のファイル情報（画像データのフォー
マット情報を含む）
・新規追加情報
・鍵情報など
【００４７】
従って、図９に示すように、殻Ｂには殻に入れたファイル情報並びに殻に入れた画像データについてのファイル情報が形成される。他の殻についても同様である。殻Ａの情報によって関連ファイル情報が形成され、変更履歴情報によって自己ファイル情報が形成される。加工ファイル２に外付けされた殻Ｃには次に示すファイル情報が入れられる。
【００４８】
・殻ＩＤ（唯一になるもの）
・殻Ａ、殻Ｂの情報
・オリジナルファイル（or 編集前ファイル）
・変更履歴情報
色調補正による加工ファイル２のファイル情報（画像データのフォーマッ
ト情報を含む）
・新規追加情報
・鍵情報など
【００４９】
加工ファイル３に外付けされた殻Ｄには次に示すファイル情報が入れられる。
・殻ＩＤ（唯一になるもの）
・殻Ａ，殻Ｂ，殻Ｃの情報
・オリジナルファイル（or 編集前ファイル）
・変更履歴情報
説明追記による加工ファイル３のファイル情報（画像データの殻フォー
マット情報を含む）
・新規追加情報
・鍵情報  など
【００５０】
図１１は、各ファイルに時系列に関係なく付与された相互関連によって関連づけた殻のリンク状態を示す。
【００５１】
リンクによって画像データ１（ファイル）は画像データ２および波形データに関連づけられ、画像データ２は画像データ１と画像データ３に関連づけられ、画像データ３は画像データ２と波形データに関連づけられ、そして波形データは、すべての画像データに関連づけられている。それぞれのデータを記録するファイルには外付けによって殻Ａ〜殻Ｄが設定される。
【００５２】
画像データ１を記録するファイルに外付けされる殻Ａには次に示すファイル情報が入れられる。
・殻ＩＤ（唯一になるもの）
・殻Ｂ，殻Ｄの情報
・相互関連情報
リンクによる画像データ１のファイル情報
・新規、追加情報
・鍵情報など
殻Ｂ，殻Ｄの情報および相互関連情報によって関連ファイル情報が形成される。以下、同様である。
【００５３】
画像データ２を記録するファイルに外付けされる殻Ｂには次に示すファイル情報が入れられる。
・殻ＩＤ（唯一になるもの）
・殻Ａ，殻Ｃ，殻Ｄの情報
・相互関連情報
リンクによる画像データ２のファイル情報
・新規追加情報
・鍵情報など
【００５４】
画像データ３を記録するファイルに外付けされる殻Ｃには、次に示すファイル情報が入れられる。
・殻ＩＤ（唯一になるもの）
・殻Ｂ，殻Ｄの情報
リンクによる画像３のファイル情報
・新規追加情報
・鍵情報など
【００５５】
波形データを記録するファイルに外付けされる殻Ｄには次に示すファイル情報が入れられる。
・殻ＩＤ（唯一になるもの）
・殻Ａ，殻Ｂ，殻Ｃの情報
・相互関連情報
リンクによる波形データのファイル情報
・新規追加情報
・鍵情報など
従って、各殻には、図９に示すように、殻に入れたファイル情報並びに殻に入れた画像データについてのファイル情報が形成される。
【００５６】
このように、図１０に示すように、各ファイルには、経時的に時系列的に関連づけられ、履歴情報が記録された画像データを含むデータが記録される。データ管理手段１１は、各ファイルに、時系列的に関連づけて履歴情報を記録した画像データを含むデータを記録させ、このファイルに外付けされた殻にはこのファイルに記録された、時系列的な履歴情報が記録された画像データを埋め込んだ自身の自己ファイル情報と、この画像データに関連づけられた、時系列的な履歴情報を記録した画像データを埋め込んだ関連ファイル情報とを記録することを行っている。ここでは、任意に中心に据えたファイル情報を自己ファイル情報とし、これに関連するファイル情報の関連ファイル情報とするが、関連ファイル情報からみれば自己ファイル情報も関連ファイル情報ということになる。
【００５７】
また、図１１に示す例によれば、各ファイルには、時系列に関係なく付与された相互関連によって関連づけられ、相互関連が記録された画像データを含むデータが記録される。データ管理手段１１は、各ファイルに時系列に関係なく付与された相互関連によって関連づけた、画像データを含むデータを記録させ、このファイルに外付けされた殻にはこのファイルに記録された、時系列に関係なく付与された相互関連によって関連づけられた、画像データを埋め込んだ関連ファイル情報とを記録させている。
【００５８】
図１２は、図８に示す例に従って殻Ａ〜殻Ｄのそれぞれに構成されたファイル情報構造を示す。殻Ａには殻Ａのファイル情報が、殻Ｂには殻Ａのファイル情報（関連ファイル情報）と殻Ｂのファイル情報（自己ファイル情報）が、殻Ｃには殻Ａのファイル情報と殻Ｃのファイル情報が、そして殻Ｄには殻Ａのファイル情報と殻Ｃのファイル情報と殻Ｄのファイル情報が構成されることになる。
【００５９】
図１３には、図１２に示すように構成された複雑な殻構造をサムネイル表示形式で系統樹表示したものである。データ取得時、加工時等、画像データ、データを保存するタイミングは、１つの画像データ、データに対して数回ある。その度に、一定の基準で、画像データ、データを保存することを行う。画像データ、データの検索、閲覧時には、系統樹のビジュアル画面を表示して検索閲覧することができる。図１３に、検索したデータの例を示している。
【００６０】
図１において、殻比較手段１６は２つの殻を比較するための手段である。図１２に示した構成されたファイル情報構造を使用して殻比較を行う。
【００６１】
図１４は、殻比較の具体的手法を示す構成されたファイル情報比較図である。図１４に示すように、殻Ａと殻Ｂとの比較において、殻Ａの、殻Ａのファイル情報と殻Ｂの、殻Ａのファイル情報が比較され、殻Ａの、殻Ａのファイル情報と殻Ｃの、殻Ａのファイル情報が比較されて、殻Ａと殻Ｂ、殻Ａと殻Ｃは予め設定した関連づけを有していることが検索される。このように、本実施例にあっては、それぞれの殻に構成されたファイル情報を比較して関連性を検索するという特徴を有し、それぞれの識別記号を改めて付与することを要しない。殻Ａと殻Ｄとの関係、殻Ｃと殻Ｄとの関係についても同様である。殻Ｂと殻Ｃあるいは殻Ｄとを比較したとすると、検索結果は関連しないとの結果が画面表示されるが、殻Ａを介在して検索することによって殻Ａを介して関連あることが画面表示させることができる。これは殻Ｂと殻Ｄとの関係においても同様である。
【００６２】
図１において、ファイル情報、殻および殻ファイル検索手段１７は、ファイル情報、殻検索および殻ファイルを検索するための手段である。
【００６３】
図１５は、図１０に示すようにして画像データが蓄積された場合に、逆時系列にさかのぼって、すなわち辿ってみて画像データ間の履歴を検索する手法を示す。
【００６４】
まず、殻Ｄの殻Ｃのファイル情報を指示して殻Ｃのファイル情報を有している殻を検索する。すると、殻Ｃが検索されることになる。すなわち、殻Ｄと殻Ｃとが殻Ｃのファイル情報を識別子として比較、検索がなされたことになる。殻Ｃが検索されると、直ちに画面上に加工ファイル２が表示される。加工ファイル２の画面表示を割愛してもっと前段階の加工ファイル１を画面表示させることができ、更にはオリジナルデータを同様手法によって画面表示させることができる。
【００６５】
殻Ｂのファイル情報比較によれば加工ファイル２をバイパスして加工ファイル１を画像表示することができ、殻Ａのオリジナルデータについてのファイル情報比較によればオリジナルデータについての殻が判別され、直ちにオリジナルデータを画面表示することができる。
【００６６】
画面表示する場合に、検索された例の殻による加工ファイルの画面表示と共に検索する例の殻による加工ファイルを同時に対比して画面表示することができる。
【００６７】
また、加工ファイル３を論文掲載するデータとして適切であるかを判定する場合に、オリジナルデータ、加工ファイル１、加工ファイル２との関連づけを検索して、関連有りとの結果を得られた場合に論文に掲載することを許容するような許容システムを構成することができる。
【００６８】
以上のように、図１において、データ管理装置１００は、データ格納手段１２と、データ格納手段１２に格納されているデータ間の関連状況によってデータ管理を行うデータ管理手段１１とを備える。
【００６９】
データ格納手段１２には、取得した複数のデータをそれぞれ記録する複数のファイルと、各ファイルに外付けされたファイル形態で、該ファイルとは別体として着脱自在に取り扱うようにしたプログラムを有した複数の殻とが格納される。
【００７０】
また、データ格納手段１２には、各ファイルには関連づけて取得された複数のデータの内の１つのデータが記録され、該ファイルに外付けされた殻には該ファイルに記録されたデータを埋め込んだ自己ファイル情報とこのデータに関連づけられて他のファイルに記録されたデータを埋め込んだ関連ファイル情報が記録される。
【００７１】
データ管理手段１１は、各ファイルには関連づけて取得された複数のデータのそれぞれを記録させ、該ファイルに外付けされた殻には当該ファイルに記録されたデータを埋め込んだ自己ファイル情報とこれに関連づけられたデータであって、他のファイルに記録されたデータを埋め込んだ関連ファイル情報とを記録させる。また、データ管理手段１１は、自己ファイル情報および関連ファイル情報の相互関連を持った２つの殻を比較し、これらの殻によって関連づけられた２つのファイルに記録されたデータのいずれかあるいは双方を画像表示装置１０１の画面２５に表示させることを行う。
【００７２】
他の形体として、データ格納手段１２には、時系列的に取得した複数の画像データを含むデータをそれぞれ記録する複数のファイルと、各ファイルに外付けされたファイル形態で、該ファイルとは別体として着脱自在に取り扱うようにしたプログラムを有した複数の殻とが格納され、各ファイルには関連づけて取得された複数の画像データを含むデータの内の１つのデータが記録される。
【００７３】
また、ファイルに外付けされた殻には該ファイルに記録された画像データを埋め込んだ自己ファイル情報とこの画像データに関連づけられて他のファイルに記録された画像データを埋め込んだ関連ファイル情報が記録される。
【００７４】
データ管理手段１１は、各ファイルには関連づけて複数の、画像データを含むデータのそれぞれを記録させ、該ファイルに外付けされた殻には当該ファイルに記録された画像データを埋め込んだ自己ファイル情報と、この画像データに関連づけられた画像データであって、他のファイルに記録された画像データを埋め込んだ関連ファイル情報とを記録させ、自己ファイル情報および関連ファイル情報の相互関連を持った２つの殻を比較し、これらの殻によって関連づけられた２つのファイルに記録された画像データを含むデータのいずれかあるいは双方を画像表示装置の画面に表示させることを行う。
【００７５】
以上のように構成することによって、追跡可能性の保証により、悪意のあるデータ捏造に対しても牽制効果を期待できる。さらに、オリジナルデータの取得装置や画像編集ソフトウェアに本実施例を適用することによって、保証範囲を広げることが可能であり、究極的にはデータの真正性の保証を目指すことができる。
【００７６】
また、画像データと実験情報をＸＭＬで１セットにし、両情報を一体不可分として扱う機能が捏造される。本機能により、画像データの情報管理に必要十分な実験情報を、ユーザーが特に意識せずに画像データとセットにすることが実現される。
【００７７】
図１６に示すように、各ＸＭＬ文書にデータの履歴情報を保持し、オリジナルデータと加工データの関連を持たせることでデータの履歴を辿る機能が実現される。本機能により、ユーザーは各画像データの編集の履歴情報を得て、データ間の関連を知ることができる。
【００７８】
図１７および図１８は、本実施例のフローを示す。
【００７９】
図１７は、データ構造を構築するフローを示す。図１７において、データ、画像データおよびこれにセットにされたデータが画像データとして入力され、任意の１つの殻にこれらの取得データが取り入れられる（Ｓ１）。予め定められた方式に従って最初の（オリジナルな）殻のファイル情報（１）が形成され、データ格納手段に格納される（Ｓ２）。この生成したファイル情報（１）をファイルに移送、すなわち渡して（Ｓ３）、データ（例えば画像データ）の画面への表示を行う（Ｓ４）。データを加工（ｎ回）あるいは他のデータであって表示されたデータと関連づけられたデータを生成し、画面に表示する（Ｓ５）。これらのデータは次の殻に取得データとして取り入れられ、新たな殻のファイル情報とされ、格納される。この工程が繰り返され、新たな殻のファイル情報とされ、格納される（Ｓ６）。
【００８０】
このようにして繰り返される工程において殻には最初の、そして前段階の殻のファイル情報と自身の自己ファイル情報が記録されてデータ構造が構築され、格納される（Ｓ７）。
【００８１】
図１８は、データ構造構築されたデータを検索するフローを示す。
【００８２】
この場合には、任意のステップから逆時系列方向にあるいは時系列方向に検索することができるが、ここでは典型的例として、関連性を知りたいデータその１例として画像データについてその前段階において格納されたデータとの関連を求めるためにさかのぼって、すなわち前段階への辿る例について説明する。
【００８３】
図１８において、関連性を知りたい画像データを画面に表示する（Ｓ１１）。この画面を用いてファイル情報を特定し、指定する（Ｓ１２）。この指定によって指定された個所のファイル情報を検索する（Ｓ１３）。元となったファイル情報と検索されたファイル情報とが同一のファイル情報形体であるかを比較し（Ｓ１４）、同一の場合にはその殻の特定を行い（Ｓ１５）、その殻によって特定されるファイルに記録された画像データを画面表示し（Ｓ１６）、双方が予め設定した関連ある画像データがあることを特定する。
【００８４】
以上のステップによれば、データ管理手段によって、前記各ファイルに、時系列的に関連づけて履歴情報を記録した画像データを含むデータを記録させる。また、データ管理手段によって、ファイルに外付けされた殻には当該ファイルに記録された時系列的な履歴が記録された画像データを埋め込んだ自己ファイル情報と、この画像データに関連づけられた、時系列的な履歴情報を記録した画像データを埋め込んだ関連ファイル情報とを記録させ、履歴情報を持った２つの殻を比較することができる。
【００８５】
また、データ管理手段によって前記各ファイルに時系列的に関係なく付与された相互関連によって関連づけた、画像データを含むデータを記録させ、該ファイルに外付けされた殻には当該ファイルに記録された、時系列的に関係なく付与された相互関連によって関連づけた、画像データを埋め込んだ関連ファイル情報とを記録させ、相互関連を持った２つの殻を比較することができる。
【００８６】
また、データ管理手段によって、任意の殻の関連ファイル情報には、当該ファイル以外の、当該ファイルに隣接するファイルを含む２つ以上のファイルに記録されたデータを埋め込んだ２つ以上の関連ファイル情報を記録させ、自己ファイル情報を記録する殻と、隣接するファイル以外のファイルに外付けされた殻の関連ファイル情報を記録する殻とを比較して、当該関連ファイル情報を記録する殻を外付けするファイルに記録されたデータを前記画面に表示させることができる。
【００８７】
図１９は、以上のようにして構成されたデータ管理装置１００を通信手段を介して活用するデータ管理システム１０２の１例を示す。
【００８８】
図１９は、ある学校におけるデータ管理システム１０２の例である。この例は、ある研究室Ａで取得されたデータがファイルサーバに蓄積され、他の研究室Ｂ、学部、学科、学校の管理部がファイルサーバのデータを利用する場合を示す。
【００８９】
図１９において、研究室Ａに所属する研究者はデータ取得時に関連するデータと関連するファイル情報を１セットにすることを行い、まず、必要に応じて各種ＩＤと加えながらオリジナルデータについてのファイル情報を形成し、編集して編集後データについての編集後ファイル情報を形成し、オリジナルデータについてのオリジナルファイル情報と共にファイルサーバ（データ格納手段１２に該当）に格納する。これらのデータおよびファイル情報は次々にファイルサーバに格納され、サムネイル表示のデータ構造が構築される。
【００９０】
研究室Ａのほかの研究者は、このサムネイル表示を利用して１つのデータを検索し、関連したファイル情報をたどることによって次々に関連するデータの画面表示を行う。
【００９１】
このファイルサーバはインターネット網などの通信網を介して他の研究室Ｂ、学部、学科、学校の管理部の計算機に接続され（サーバ間連携）、セキュリティチェックされた後にこれらの計算機で利用可能とされる。
【００９２】
生物学系の研究では、共同研究等、離れた研究室間でのデータのやり取りが行われるのが普通であり、本実施例のシステムによってサーバ間連携の仕組みを構築してそのような離れた場所の研究チーム間での実験データのやり取りを支援することができる。
【図面の簡単な説明】
【００９３】
【図１】本発明の実施例のデータ管理装置をブロックで示す図。
【図２】ファイルに殻を外付けする形体を示す図。
【図３】ＸＭＬ文書形式のファイルを形成することを示す図。
【図４】ファイルに外付けされた殻の機能を説明する図。
【図５】生成されたファイル情報を示す図。
【図６】各種のデータファイルおよびこれらに外付けされる殻を示す図。
【図７】図６において複数の任意のファイルから構成されるデータファイルおよびこれに外付けされる殻を示す図。
【図８】複数の空の関係を示す図。
【図９】殻内に形成されるファイル情報の種別を示す図。
【図１０】ファイルと殻の経時変化を時系列で示す図。
【図１１】相互関連で連携された画像データの構成を示す図。
【図１２】構成されたファイル情報の構造を示す図。
【図１３】構成したファイル情報網をサムネイル表示で示す図。
【図１４】構成されたファイル情報の比較を示す図。
【図１５】構成された一セットのファイル情報を利用した検索方法を示す図。
【図１６】画像の１つの履歴を示す図。
【図１７】データ構造を構築するフローチャート図。
【図１８】構築されたデータ構造を利用してデータを検索することを示すフローチャート図。
【図１９】データ管理システムの１例をブロックで示す図。
【符号の説明】
【００９４】
１１…データ管理手段、１２…データ格納手段、１３…ファイル、殻形成手段、１４…殻のファイル情報形成手段、１５…殻構造およびファイル情報構築手段、１６…殻比較手段、１７…ファイル情報、殻およびファイル検索手段、１８…格納指示手段、１９…画面表示指示手段、２１…格納されたファイル、２２…格納された殻とファイル情報、２３…各種データと構造および各種プログラム、２５…画面、３１…ファイル、３２…殻、３３…画像データ、３４…実験情報、３５…ファイル情報、４１…殻に入れたファイル情報、４２…殻に入れた画像データについてのファイル情報、１００…データ管理装置、１０１…画面表示装置、１０２…データ管理システム。
【図１】
2009230678.tif 000003
【図２】
2009230678.tif 000004
【図３】
2009230678.tif 000005
【図４】
2009230678.tif 000006
【図５】
2009230678.tif 000007
【図６】
2009230678.tif 000008
【図７】
2009230678.tif 000009
【図８】
2009230678.tif 000010
【図９】
2009230678.tif 000011
【図１０】
2009230678.tif 000012
【図１１】
2009230678.tif 000013
【図１２】
2009230678.tif 000014
【図１３】
2009230678.tif 000015
【図１４】
2009230678.tif 000016
【図１５】
2009230678.tif 000017
【図１６】
2009230678.tif 000018
【図１７】
2009230678.tif 000019
【図１８】
2009230678.tif 000020
【図１９】
2009230678.tif 000021